(57)【特許請求の範囲】
【請求項１】
（ａ）  座具の左右向き合う側枠材（１１・１１）に布帛（１２）の端縁（１３・１３）を係止して当該左右の側枠材間に当該布帛（１２）を張設して身体を戴承する身体戴承面（１４）を構成した布バネ座具（１５）において、
（ｂ）  布帛の端縁（１３）が係止されている身体戴承面の側縁（１６）から身体戴承面の中央部側へと張り出して身体戴承面の側縁周辺部（１７）を覆い、且つ、身体戴承面の側縁（１６）から身体戴承面（１４）の裏側へと張り出して側枠材（１１）の側面を覆うサイドカバー（１８）が、当該側枠材（１１）に取り付けられており、
（ｃ）  身体戴承面の中央部側へと張り出したサイドカバー（１８）の戴承面張出部（１９）の張出端（２０）によって、布帛（１２）が身体戴承面（１４）の裏側へと押圧されている布バネ座具。
【請求項２】
（ｄ）  布帛（１２）を身体戴承面（１４）の裏側へと押圧するサイドカバー（１８）の張出端（２０）の布帛（１２）に作用する押圧力を加減調節する押圧力調節手段を具備する前掲請求項１に記載の布バネ座具。
【請求項３】
（ｅ）  サイドカバー（１８）の戴承面張出部（１９）から張り出して側枠材の側面を覆うサイドカバーの側面被覆部（２３）が、身体戴承面（１４）の裏側に張り出して戴承面張出部（１９）に向き合う裏側張出部（２４）を構成しており、
（ｆ）  サイドカバーの戴承面張出部（１９）と裏側張出部（２４）の間に、側枠材（１１）の嵌合する嵌合溝（２５）が形成されており、
（ｇ）  サイドカバー（１８）の裏側張出部（２４）に向き合う張出部（２６）が、側枠材（１１から突出しており、
（ｈ）  その側枠材（１１）から突出した張出部（２６）と、左右の側枠材間（１１・１１に張設された布帛（１２）を貫通するネジ桿（２７）によって、サイドカバーの裏側張出部（２４）と戴承面張出部（１９）が連結されており、
（ｉ）  そのネジ桿（２７）が回転して裏側張出部（２４）と戴承面張出部（１９）の間の嵌合溝（２５）の溝幅を拡縮変更してサイドカバーの張出端（２０）から布帛（１２）に作用する押圧力を加減調節する押圧力調節手段が構成されている前掲請求項２に記載の布バネ座具。
【請求項４】
（ｊ）  サイドカバーの戴承面張出部（１９）と、その戴承面張出部（１９）から張り出して側枠材（１１）の側面を覆う側面被覆部（２３）との間において、サイドカバー（１８）が側枠材（１１）にピン（２８）を介してピン接合されており、
（ｋ）  サイドカバーの側面被覆部（２３）に向けて突出したネジ桿（２９）が、側枠材の側面被覆部（２３）に突設されており、
（ｌ）  そのネジ桿（２９）が回転してサイドカバー（１８）の側面被覆部（２３）を押圧し、ピン（２８）を中心にサイドカバー（１８）が回転してサイドカバーの張出端（２０）から布帛（１２）に作用する押圧力を加減調節する押圧力調節手段が構成されている前掲請求項２に記載の布バネ座具。
【請求項５】
（ｍ）  １５％伸長後の弾性回復率が９０％以上であり、１０％伸長時の伸長応力が０．１ｃＮ／ｄｔｅｘ以上の弾性糸条が布帛（１２）に使用されており、
（ｎ）  左右のサイドカバー（１８・１８）が向き合う布バネ座具（１５）の幅方向における布帛（１２）の１０％伸長時の伸長応力が５０Ｎ／５ｃｍ以上である前掲請求項１と２と３と４の何れかに記載の布バネ座具。
【発明の詳細な説明】
【技術分野】
【０００１】
遊戯装置トランポリンのように、向き合う枠材間に布帛を張設して構成されるクッション体は、布バネと称される。
【０００２】
本発明は、その布バネによって身体を支える身体戴承面を構成した事務用椅子、車椅子、座椅子、安楽椅子、医療用椅子、劇場客席、自動車座席等の座具（本発明では”布バネ座具”と称する。）に関するものである（例えば、特許文献１、２、３参照）。
【背景技術】
【０００３】
座面部や背凭れ部の身体戴承面が、繊維ウエブを圧縮成形した樹脂綿や発泡プラスチックを射出成形した発泡体の表面を布帛や皮革等の化粧材で被覆して成る在来の座具では、身体の起伏に合わせて構成された金型を使用して樹脂体や発泡体等のクッション材を立体的に成形し、身体の起伏に応じた起伏のある身体戴承面を形成することが出来る。
【０００４】
又、樹脂綿や発泡体をクッション材に使用した在来の座具では、身体戴承面の左右にサイドサポートを付設し、そのサイドサポートによって身体戴承面の起伏を調整することが出来る（例えば、特許文献４、５参照）。
自動車座席（以下、”車両シート”と言う。）では、樹脂綿や発泡体の表面を切削し、或いは、樹脂綿や発泡体の表面に繊維ウエブや発泡樹脂を積層して表面を盛り上げ、ヒップポイントを調整することが出来る。
尚、”ヒップポイント”とは、人体を模した３次元マネキンの胴部と大腿部の回転中心を意味し、ＪＩＳ−Ｄ−００２４においては”Ｈポイント”として規定されており、車両シートでは、ヒップポイントが重要な品質特性要因とされ、そのヒップポイントが適正に設定されているか否かによって車両シートの実用価値が技術的に評価される。
【０００５】
【特許文献１】特開２００３−０５２４８２号公報
【特許文献２】ＷＯ２００４−０１５１８１号公報
【特許文献３】特開２００７−０２０８４０号公報
【特許文献４】特開２００５−２０６０２７号公報
【特許文献５】実開平０６−０５２６００号公報
【発明の開示】
【発明が解決しようとする課題】
【０００６】
布バネ座具では、在来の座具のようにサイドサポートを付設することが出来ないとしても、身体戴承面の左右に弾性パットを載せて身体戴承面に起伏を付けることが出来る（例えば、特許文献１参照）。
又、枠材間に張設する布帛の硬さや弾性伸縮性を部分的に変え、身体を載せた身体戴承面が身体に応じて起伏変形するようにすることも出来る（例えば、特許文献２参照）。
しかし、そのように弾性パットや部分的に硬さや弾性伸縮性の異なる布帛を使用しても、布帛は枠材間に平板に張設されており、その布帛の構成する身体戴承面自体に起伏を付けることは出来ず、身体戴承面の位置（レベル）を上下させてヒップポイントを調整することも出来ない。
【０００７】
布帛の構成する身体戴承面自体に起伏を付ける方法として、布帛を張設する枠材を曲折変形し、その枠材の曲折形状に応じて身体戴承面を曲面とすることは知られている（例えば、特許文献３参照）。
しかし、その方法では、身体戴承面の曲面形状は、枠材の曲折形状によって設定され、その張設される布帛の表面を削ることも盛り上げることも出来ないので、ヒップポイントを調整することは出来ず、又、その曲折形状によって設定される身体戴承面の曲面形状を自由に変えることは出来ない。
【０００８】
そこで本発明は、布バネ座具の身体戴承面に起伏を付けると共にヒップポイントの調整を可能にし、車両シートとしても実用価値のある布バネ座具を得ることを目的とする。
【課題を解決するための手段】
【０００９】
本発明に係る布バネ座具は、（ａ）  座具の左右向き合う側枠材１１・１１に布帛１２の端縁１３・１３を係止して当該左右の側枠材間に当該布帛１２を張設して身体を戴承する身体戴承面１４が構成されており、（ｂ）  布帛の端縁１３が係止されている身体戴承面の側縁１６から身体戴承面の中央部側へと張り出して身体戴承面の側縁周辺部１７を覆い、且つ、身体戴承面の側縁１６から身体戴承面１４の裏側へと張り出して側枠材１１の側面を覆うサイドカバー１８が当該側枠材１１に取り付けられており、（ｃ）  身体戴承面の中央部側へと張り出したサイドカバー１８の戴承面張出部１９の張出端２０によって布帛１２が身体戴承面１４の裏側へと押圧されていることを第１の特徴とする。
【００１０】
本発明に係る布バネ座具の第２の特徴は、上記第１の特徴に加えて、（ｄ）  布帛１２を身体戴承面１４の裏側へと押圧するサイドカバー１８の張出端２０の布帛１２に作用する押圧力を加減調節する押圧力調節手段を具備する点にある。
【００１１】
本発明に係る布バネ座具の第３の特徴は、上記第２の特徴に加えて、（ｅ）  サイドカバー１８の戴承面張出部１９から張り出して側枠材の側面を覆うサイドカバーの側面被覆部２３が、身体戴承面１４の裏側に張り出して戴承面張出部１９に向き合う裏側張出部２４を構成しており、（ｆ）  サイドカバーの戴承面張出部１９と裏側張出部２４の間に、側枠材１１の嵌合する嵌合溝２５が形成されており、（ｇ）  サイドカバー１８の裏側張出部２４に向き合う張出部２６が、側枠材１１から突出しており、（ｈ）  その側枠材１１から突出した張出部２６と、左右の側枠材間１１・１１に張設された布帛１２を貫通するネジ桿２７によって、サイドカバーの裏側張出部２４と戴承面張出部１９が連結されており、（ｉ）  そのネジ桿２７が回転して裏側張出部２４と戴承面張出部１９の間の嵌合溝２５の溝幅を拡縮変更してサイドカバーの張出端２０から布帛１２に作用する押圧力を加減調節する押圧力調節手段が構成されている点にある。
【００１２】
本発明に係る布バネ座具の第４の特徴は、上記第２の特徴に加えて、（ｊ）  サイドカバーの戴承面張出部１９と、その戴承面張出部１９から張り出して側枠材１１の側面を覆う側面被覆部２３との間において、サイドカバー１８が側枠材１１にピン２８を介してピン接合されており、（ｋ）  サイドカバーの側面被覆部２３に向けて突出したネジ桿２９が、側枠材の側面被覆部２３に突設されており、（ｌ）  そのネジ桿２９が回転してサイドカバー１８の側面被覆部２３を押圧し、ピン２８を中心にサイドカバー１８が回転してサイドカバーの張出端２０から布帛１２に作用する押圧力を加減調節する押圧力調節手段が構成されている点にある。
【００１３】
本発明に係る布バネ座具の第５の特徴は、上記第１、第２、第３、第４の何れかの特徴に加えて、（ｍ）  １５％伸長後の弾性回復率が９０％以上であり、１０％伸長時の伸長応力が０．１ｃＮ／ｄｔｅｘ以上の弾性糸条が布帛１２に使用されており、（ｎ）  左右のサイドカバー１８・１８が向き合う布バネ座具１５の幅方向における布帛１２の１０％伸長時の伸長応力が５０Ｎ／５ｃｍ以上である点にある。
【発明の効果】
【００１４】
本発明においては、布帛１２が、サイドカバーの張出端２０によって身体戴承面１４の裏側へと押圧され、左右のサイドカバー１８・１８の間で露出する布帛の露出面２１が、左右の側枠材１１・１１にそれぞれ係止される布帛の左右の端縁１３と端縁１３を結ぶ布帛の張設基準面２２より身体戴承面の裏側へと窪み、身体戴承面１４に起伏が生じる。
従って本発明によると、立体感のある布バネ座具が得られる。
【００１５】
そのように、サイドカバー１８・１８の間の布帛の露出面２１が、サイドカバーの張出端２０に押圧されて窪んでいるので、サイドカバーの張出端２０の裏面にスペーサーを添着するときは、その露出面２１の張設基準面２２からの窪み量εが増え、露出面２１が張設基準面２２に更に遠ざかることになる。
それとは逆に、サイドカバーの張出端２０の裏面に添着したスペーサーを取り外すか、或いは、張出端２０の裏面を削るときは、その露出面２１の張設基準面２２からの窪み量εが少なくなり、露出面２１が張設基準面２２に接近することになる。
従って、本発明によると、ヒップポイントの調整が可能な布バネ座具が得られる。
【００１６】
サイドカバー１８・１８の間の布帛の露出面２１が窪んで張設基準面２２から離れるときは、その窪み量εに応じたテンションが作用して布帛１２が緊張されることになる。
従って、強く引っ張ることなく、極端に言えば、弛緩した状態で左右の側枠材間１１・１１に布帛１２を張設し、その後、サイドカバー１８を取り付けて布帛１２を緊張することが出来るので、布帛１２が左右の側枠材間１１・１１に張設し易くなる。
従って、本発明によると、布バネ座具を効率的に得ることが出来る。
【００１７】
そのように、サイドカバー１８によって布帛１２のテンションを加減することが出来るので、布バネ座具１５の使用中に布帛１２が弛緩して弛み皺が生じたときには、サイドカバーの張出端２０の裏面にスペーサーを添着して布帛１２を緊張し、その弛み皺を解消することも可能になる。
そして、サイドカバー１８によって布帛の端縁１３が被覆保護されて損傷し難く、又、サイドカバー１８を取り替えて布バネ座具１５のデザインを一新することも出来る。
従って、本発明によると、耐久性に富む布バネ座具が得られる。
【００１８】
そして、張出端２０から布帛１２に作用する押圧力を加減調節する押圧力調節手段をサイドカバーに付設するときは、身体戴承面１４の起伏加減やヒップポイントの調整、布帛１２のテンション加減、布帛１２に生じた弛み皺の引き伸ばし作業を即座に行うことが出来、布バネ座具１５が取り扱い易くなる。
【００１９】
本発明では、その押圧力調節手段を、サイドカバー１８を戴承面張出部１９と裏側張出部２４が向き合うＵ字断面形状にし、その向き合う戴承面張出部１９と裏側張出部２４を連結するネジ桿２７によって構成したので（図２）、そのネジ桿２７を回して裏側張出部２４と戴承面張出部１９の間の嵌合溝２５の溝幅を拡縮変更してサイドカバーの張出端２０から布帛１２に作用する押圧力を加減調節することが出来る。
【００２０】
又、サイドカバー１８を戴承面張出部１９と裏側張出部２４とに曲折したΓ字断面形状にし、その戴承面張出部１９と側面被覆部２３の交わる角部において側枠材１１にピン接合した押圧力調節手段では（図３）、ネジ桿２９を回してサイドカバー１８の側面被覆部２３を押圧し、ピン２８を中心にサイドカバー１８が回転してサイドカバーの張出端２０から布帛１２に作用する押圧力を加減調節することが出来る。
その場合、張出端２０に作用する布帛１２からの弾性的反力によって側面被覆部２３がネジ桿２９を弾性的に押圧しているので、ピン２８を中心にサイドカバー１８が不用意に振れ動くことはない。
【００２１】
そのように、本発明に係る押圧力調節手段は、機構的に単純な螺子や梃子に成るので、サイドカバー１８の構造を複雑にせず、製作し易く、取り扱い易く、実用的である。
【００２２】
サイドカバー１８は、片持ち梁状に側枠材１１から張り出ており、その上に載せた体重が作用するときは布帛１２と共に沈み込み、その体重が除かれるときは布帛１２に押し返されて元の位置に復帰するので、身体戴承面１４のクッション性を損なわない。
【００２３】
本発明では、１５％伸長後の弾性回復率が９０％以上であり、１０％伸長時の伸長応力が０．１ｃＮ／ｄｔｅｘ以上の弾性糸条が布帛１２に使用されており、その左右のサイドカバー１８・１８が向き合う布バネ座具１５の幅方向における布帛１２の１０％伸長時の伸長応力が５０Ｎ／５ｃｍ以上なので、身体をサイドカバー１８に載せることなく布帛の露出面２１にだけ載せるときでも、その露出面２１が大きく沈み込むことがない。
又、その露出面２１が沈み込んでも、サイドカバーの張出端２０が布帛１２からの弾性的反力に抗して弾性的に押圧しているので、その沈み込む露出面２１に追随して沈み込み、サイドカバーの張出端２０と布帛１２の間に隙間が生じることがない。
従って、張出端２０と露出面２１の間は、常に密着状態に保たれる。
【００２４】
このように、身体戴承面１４の起伏加減やヒップポイントの調整、布帛１２のテンション加減、布帛１２に生じた弛み皺の引き伸ばし作業を即座に行うことが出来、サイドカバー１８によって布帛の端縁１３が被覆保護されて損傷し難く、サイドカバー１８を取り替えて布バネ座具１５のデザインを一新することも出来、左右の側枠材間１１・１１で格別強く引っ張ることなく布帛１２を張設することが出来て製作し易く、取り扱い易い布バネ座具１５が得られる等、本発明の実用上利とするところ多大である。
【発明を実施するための最良の形態】
【００２５】
側枠材１１・１１に取り付けられた左右のサイドカバー１８・１８の間で露出する布帛の露出面２１が、左右の側枠材１１・１１にそれぞれ係止される布帛の左右の端縁１３と端縁１３を結ぶ布帛１２の張設基準面２２より身体戴承面の裏側へと窪む程度に、身体戴承面の中央部側へと張り出したサイドカバー１８の戴承面張出部１９の張出端２０によって、布帛１２を身体戴承面１４の裏側へと押圧する。
その左右のサイドカバー１８・１８の間の布帛の露出面２１の窪み量εは、２〜３ｍｍ程度の僅かな量であってもよい。
【００２６】
前記の通り、布帛の構成する身体戴承面自体に起伏を付ける方法として、布帛を張設する枠材を曲折変形し、その枠材の曲折形状に応じて身体戴承面に曲面とすることは知られており（例えば、特許文献３参照）、左右の側枠材１１・１１に加え、前後一方又は双方の枠材４１・４２によって構成される型枠に布帛１２を張設する場合において、その前後一方又は双方の枠材４１・４２に曲折変形した枠材を使用した身体戴承面（１４）の張設基準面（２２）は、平板にならず立体的に彎曲した曲面となる。
その場合、左右のサイドカバー１８・１８の間の布帛の露出面２１の窪み量εは、その彎曲した張設基準面（２２）から布帛の露出面２１までの距離として計測される。
つまり、本発明に言う”張設基準面”とは、サイドカバーの装着前の布帛が張設されて構成する身体戴承面を意味し、”露出面の窪み量ε”とは、そのサイドカバーの装着前の身体戴承面（張設基準面）からサイドカバーの装着後の身体戴承面（露出面）までの距離を意味する。
【００２７】
サイドカバー１８は、背凭れ部３２と座面部３３の双方の身体戴承面１４・１４に、或いは、背凭れ部３２と座面部３３の一方の身体戴承面１４に適用することが出来、又、左右の側枠材１１・１１を連結する前後の枠材４１・４２にも適用することが出来る。
その前後の枠材４１・４２にサイドカバー１８を適用する場合、露出面２１を三方又は四方を囲むように、左右の側枠材１１・１１に適用するサイドカバー１８・１８と枠材４１・４２に適用するサイドカバーを繋ぎ合わせて露出面２１を囲むコ字形状やロ字形状にすることも出来る。
【００２８】
本発明を適用する座具１５は、、事務用椅子、車椅子、座椅子、安楽椅子、医療用椅子、劇場客席、車両シートの何れでもよいが、ヒップポイントが重要な品質特性要因となる車両シートに適用すると効果的である。
【００２９】
サイドカバー１８には、鋼板や硬質プラスチック等の硬質弾性材料が使用される。
サイドカバー１８の外面は、編物、織物、起毛布帛、パイル布帛、人工皮革、合成皮革、天然皮革等の化粧材３０によって適宜被覆され、サイドカバー１８と化粧材３０の間には樹脂綿や発泡体等の弾性填料３１が適宜裝填される。
【実施例】
【００３０】
［第１実施例］
図２は、布帛１２に作用するサイドカバーの張出端２０の押圧力を加減調節する押圧力調整手段の第１実施例を示す。
サイドカバー１８は、戴承面張出部１９と裏側張出部２４が向き合ったＵ字断面形状を成し、戴承面張出部１９と裏側張出部２４の間の嵌合溝２５に側枠材１１が嵌合するようになっている。
側枠材１１からは、サイドカバー１８の裏側張出部２４に向き合う張出部２６が、身体戴承面１４に平行に突出している。
戴承面張出部１９にはネジ孔３４が設けられており、裏側張出部２４には戴承面張出部１９のネジ孔３４に向き合うネジ差込孔３５が開けられており、その向き合う戴承面張出部１９と裏側張出部２４は、ネジ桿２７によって連結されるようになっている。
側枠材１１が嵌合溝２５に嵌合して戴承面張出部１９のネジ孔３４や裏側張出部２４のネジ差込孔３５に向き合う側枠材の張出部２６の部分と布帛の側縁周辺部１７には貫通孔が開けられている。
裏側張出部２４のネジ差込孔３５に差し込んだネジ桿２７の先端は、それらの貫通孔を突き抜けて戴承面張出部１９のネジ孔３４に螺着される。
【００３１】
そのネジ桿２７を締めると、戴承面張出部１９と裏側張出部２４が引き寄せられて嵌合溝２５の溝幅が狭まり、サイドカバーの張出端２０が布帛１２を押圧し、左右のサイドカバー１８・１８の間の布帛の露出面２１は、左右の側枠材１１・１１にそれぞれ係止される布帛の左右の端縁１３と端縁１３を結ぶ布帛１２の張設基準面２２から離れる方向に変動し、身体戴承面１４が大きく窪む。
【００３２】
そのネジ桿２７を緩めると、戴承面張出部１９と裏側張出部２４の間の嵌合溝２５の溝幅が広がり、サイドカバーの張出端２０から布帛１２に作用する押圧力が弱まり、左右のサイドカバー１８・１８の間の布帛の露出面２１は、左右の側枠材１１・１１にそれぞれ係止される布帛の左右の端縁１３と端縁１３を結ぶ布帛１２の張設基準面２２へと接近し、身体戴承面１４の窪みが浅くなる。
【００３３】
ネジ桿２７の頭部には化粧キャップ３６が被せられている。
図２において、符号４３は、ネジ桿２７の周面を被覆する化粧カバーであり、弾性樹脂によって構成されている。
【００３４】
［第２実施例］
図３は、布帛１２に作用するサイドカバーの張出端２０の押圧力を加減調節する押圧力調整手段の第２実施例を示す。
サイドカバー１８は、戴承面張出部１９と側面被覆部２３が７０度前後折れ曲がって続くΓ字断面形状を成している。
側枠材１１の端縁にはブラケット３７がビス止めされている。
サイドカバー１８の戴承面張出部１９と側面被覆部２３の交わる角部は、ピン２８を介してブラケット３７の先端にピン接合されており、サイドカバー１８は、そのピン２８を中心に側枠材１１に対して揺動回転可能になっている。
サイドカバーの側面被覆部２３に向き合う側枠材１１の部分にはネジ差込孔３８が開けられており、そこに差し込んだネジ桿２９の先端がサイドカバーの側面被覆部２３に突き当っている。
図３において、符号３９と４０は、ネジ桿２９を側枠材に固定するナットを示す。
【００３５】
それらのナット３９・４０を回してネジ桿２９を側枠材１１から突き出すと、サイドカバーの側面被覆部２３がネジ桿２９の先端に押圧され、ピン２８を中心にサイドカバー１８が回転してサイドカバーの張出端２０が布帛１２を押圧し、左右のサイドカバー１８・１８の間の布帛の露出面２１が、左右の側枠材１１・１１にそれぞれ係止される布帛の左右の端縁１３と端縁１３を結ぶ布帛１２の張設基準面２２から離れる方向に変動し、身体戴承面１４が大きく窪む。
【００３６】
ナット３９・４０を回してネジ桿２９をサイドカバーの側面被覆部側（２３）から離れる方向に引っ込めると、ピン２８を中心にサイドカバー１８が回転してサイドカバーの張出端２０が布帛１２から離れる方向に移動し、左右のサイドカバー１８・１８の間の布帛の露出面２１が、左右の側枠材１１・１１にそれぞれ係止される布帛の左右の端縁１３と端縁１３を結ぶ布帛１２の張設基準面２２へと接近し、身体戴承面１４の窪みが浅くなる。
【００３７】
第１実施例と第２実施例が示すように、布帛１２に当接するサイドカバーの張出端２０がネジ桿２７・２９によって往復駆動され、その張出端２０に押圧される布帛の露出面２１が張設基準面に対して往復移動し、背凭れ部３２では身体戴承面１４が前後し、座面部３３では身体戴承面１４が昇降する。
このため、本発明を車両シート（１５）に適用すると、そのヒップポイントの調節が可能となる。
【００３８】
第１実施例と第２実施例においては、サイドカバーの張出端２０の裏面にスペーサー（図示せず）を添着して露出面２１の張設基準面２２からの窪み量εを増やすことも出来、又、そのサイドカバーの張出端２０の裏面に添着したスペーサーを取り外すか、或いは、張出端２０の裏面を削って露出面２１の張設基準面２２からの窪み量εが少なくすることも出来る。
そのようにスペーサーを使用する場合、ネジ桿２７（図２）やネジ桿２９（図３）は、ヒップポイントを微調整する押圧力調整手段として使用される。
【００３９】
第１実施例においては、戴承面張出部１９と裏側張出部２４を連結するネジ桿２７を押圧力調整手段としているが、そのネジ桿２７の代わりに針金（ワイヤー）や紐等の線条（ストランド）を戴承面張出部１９の裏面に突設し、その線条を布帛１２に差し込んで突き出た線条の先端を引っ張って身体戴承面１４の窪みを深くし、又、線条を緩めて身体戴承面１４の窪みを浅くすることも出来る。
【００４０】
又、第１実施例においては、ネジ桿２７をバネを介して側枠材の張出部２６に接合し、或いは、ネジ桿２７に代えて線条（ストランド）を使用するときは、その線条をバネを介して側枠材の張出部２６に接合する等して、サイドカバーの張出端２０が布帛１２を弾性的に押圧するようにすることも出来る。
【００４１】
第２実施例においては、側枠材１１から突き出したネジ桿２９を押圧力調整手段としているが、そのネジ桿２７の代わりにサイドカバーの側面被覆部２３と側枠材１１の側面の間に複数枚のスペーサーを挟み込み、その挟み込むスペーサーの枚数を増減して露出面２１の窪み量εを加減することも出来る。
【００４２】
又、第２実施例においては、ネジ桿２９の先端にバネを接合し、或いは、ネジ桿２９に代えてスペーサーを使用するときは、そのスペーサーにバネを使用する等して、サイドカバーの張出端２０が布帛１２を弾性的に押圧するようにすることも出来る。
【図面の簡単な説明】
【００４３】
【図１】本発明に係る布バネ座具の組立斜視図である。
【図２】図１に図示する布バネ座具のＸ−Ｘ箇所での断面図である。
【図３】本発明の実施例に係る布バネ座具の要部断面図である。
【符号の説明】
【００４４】
１１：側枠材
１２：布帛
１３：端縁
１４：身体戴承面
１５：座具
１６：側縁
１７：側縁周辺部
１８：サイドカバー
１９：戴承面張出部
２０：張出端
２１：布帛の露出面
２２：張設基準面
２３：側面被覆部
２４：裏側張出部
２５：嵌合溝
２６：張出部
２７：ネジ桿
２８：ピン
２９：ネジ桿
３０：化粧材
３１：弾性填料
３２：背凭れ部
３３：座面部
３４：ネジ孔
３５：差込孔
３６：化粧キャップ
３７：ブラケット
３８：差込孔
３９：ナット
４０：ナット
４１：枠材
４２：枠材
４３：カバー
【図１】
0005142017.tif 000002
【図２】
0005142017.tif 000003
【図３】
0005142017.tif 000004